(57)【要約】【課題】  エンジン等の激しい振動が発生する配管に配設して使用しても、振動によって不測に開弁する虞れのないボールバルブを提供する。【解決手段】  本体１内に配設したボール５の上端に固着しているステム６を本体１に突設している筒部1aに回動自在に挿通、支持させていると共に、この筒部1aから突出しているステム６の角軸部6aにレバーハンドル８の先端部を上下動可能に係合させて該レバーハンドル８の回動操作によりボール５を開閉位置まで回動させるようにし、さらに、上記筒部1aの上端面に、レバーハンドル８を弁の開閉位置に保持する凹部９、10を90度の角度間隔を存して設ける共にこれらの凹部９、10間に山形状の凸状面11を形成し、レバーハンドル８の下端面をコイルスプリング14によって常時筒部1aの上端面に押し付けて開弁、閉弁状態を確実に保持するように構成している。【選択図】    図３
2007056920.tif 000002
【特許請求の範囲】
【請求項１】
両側部に流体の流入口と流出口とを同軸上に設け、且つ、中央部にこれらの流入口と流出口間を連通させる流通孔を貫設したボールを回動自在に設けてなる本体に、上記流入口と流出口の軸心に対して直交する方向に上記ボールと一体のステムを挿通させた筒部を突設し、この筒部から突出したステムの角軸部にレバーハンドルを取付けてこのレバーハンドルの回動操作により、上記ボールを一体に回動させて弁の開閉を行うボールバルブにおいて、上記筒部の突出端面に、レバーハンドルを弁の開閉位置にそれぞれ保持する凹部を周方向に90度の角度間隔を存して形成していると共にこれらの凹部間の端面を山形状の凸状面に形成してあり、さらに、レバーハンドルをステムの上記角軸部に対して上下動自在に且つ一体に回動可能に取付けると共にこのレバーハンドルをスプリング力によって常時筒部の上記凹部と凸状面を有する端面に向かって付勢して該端面上に周方向に摺動自在に受止させていることを特徴とするボールバルブ。
【請求項２】
レバーハンドルの先端部にステムの角軸部を囲繞した有底短筒部を一体に設けて該有底短筒部の底面中央部に設けた角孔に上記ステムの角軸部を挿通、係合させることによりレバーハンドルの回動力をステムに伝達するように構成していると共に、有底短筒部内にコイルスプリングを配設してこのコイルスプリングの両端を有底短筒部の内底面と上記ステムの角軸部の先端部に設けたワッシャとの間に介在させ、このワッシャを角軸部の先端部に形成している螺子部に螺合したナットによって受止させていることを特徴とする請求項１に記載のボールバルブ。
【請求項３】
レバーハンドルにおける有底短筒部の底部外周面をステムを挿通させた本体の筒部の開口端部内周面に遊嵌させていると共に、上記有底短筒部の外周面にレバーハンドルを延長する方向に向かって突端部を突設してあり、さらに、上記筒部の端面に上記レバーハンドルを弁の開閉位置に保持する凹部とこれらの凹部間に設けた山形状の凸状面とに対向させて上記突辺部を弁の開閉位置に保持する凹部とこれらの凹部間に設けた山形状の凸状面とを設けていることを特徴とする請求項１又は請求項２に記載のボールバルブ。
【発明の詳細な説明】
【技術分野】
【０００１】
本発明は、主として振動が激しく生じる配管中に配設するのに適したボールバルブに関する。
【背景技術】
【０００２】
従来から、ボールバルブの構造としては、例えば特許文献１、２に記載されているように、両側部に流体の流入口と流出口とを同軸上に設け、且つ、中央部にこれらの流入口と流出口間を連通させる流通孔を貫設したボールを回動自在に設けてなる本体と、ボールの上端面に下端を一体に固着していると共に本体の中央部上壁に回動自在に貫通、支持されているステムと、このステムの回動操作用レバーハンドルとからなり、該レバーハンドルを90度の角度範囲内で時計方向、反時計方向に回動することによってそれぞれ開弁、閉弁を行うように構成したものが広く知られている。
【特許文献１】特開平２−２８６９８１号公報
【特許文献２】特開平５−３３２４６２号公報
【発明の開示】
【発明が解決しようとする課題】
【０００３】
しかしながら、上記のように構成したボールバルブを、例えば、自動車のエンジンオイルのドレンパイプにおける開閉用バルブとして使用した場合、エンジンの作動による振動や走行中における自動車自体の振動によってレバーハンドルが不測に回動し、開弁状態となってオイル漏れが生じる虞れがある。
【０００４】
このような事態は、レバーハンドルを閉弁位置や開弁位置で停止状態を保持する機構、例えば、本体の上記ステム挿通部の周囲におけるレバーハンドルの閉弁位置と開弁位置とに断面Ｖ字状ないしは半円形状の係止凹部を設ける一方、レバーハンドルの下端部にスプリングを内装すると共にこのスプリングの弾発力によって上記係止凹部に係脱自在に係止する小球体を設けておけば解消することができるが、本体におけるステム挿通部の構造によっては上記係止凹部を設けることが困難な場合があり、特に、レバーハンドルにおいてはその肉厚等の関係からスプリングを内装できる孔などを設けることが困難である。
【０００５】
また、例え、このような機構を配設することができても、スプリングの弾発力を調節することができないために、レバーハンドルの回動操作が円滑に行われなくなったり、スプリングの断発力が劣化して上記小球体が係止凹部から不測に離脱しやすくなり、また、離脱すると元の係止状態に復帰することができなくなるといった問題点がある。
【０００６】
本発明はこのような問題点に鑑みてなされたもので、その目的とするところは、簡単な構造によって確実に開弁状態、閉弁状態を保持し得ると共に、開閉操作も円滑に行え、且つ例え衝撃的な大きな振動によって開弁状態から閉弁方向、或いは、閉弁状態から開弁方向にレバーハンドルが回動しても、極く僅かな回動後、瞬時に元の位置まで確実且つ自動的に復帰させることができるボールバルブを提供するにある。
【課題を解決するための手段】
【０００７】
上記目的を達成するために本発明のボールバルブは請求項１に記載したように、両側部に流体の流入口と流出口とを同軸上に設け、且つ、中央部にこれらの流入口と流出口間を連通させる流通孔を貫設したボールを回動自在に設けてなる本体に、上記流入口と流出口の軸心に対して直交する方向に上記ボールと一体のステムを挿通させた筒部を突設し、この筒部から突出したステムの角軸部にレバーハンドルを取付けてこのレバーハンドルの回動操作により、上記ボールを一体に回動させて弁の開閉を行うボールバルブにおいて、上記筒部の突出端面に、レバーハンドルを弁の開閉位置にそれぞれ保持する凹部を周方向に90度の角度間隔を存して形成していると共にこれらの凹部間の端面を山形状の凸状面に形成してあり、さらに、レバーハンドルをステムの上記角軸部に対して上下動自在に且つ一体に回動可能に取付けると共にこのレバーハンドルをスプリング力によって常時筒部の上記凹部と凸状面を有する端面に向かって付勢して該端面上に周方向に摺動自在に受止させた構造を有している。
【０００８】
このように構成したボールバルブにおいて、請求項２に係る発明は、上記レバーハンドルの先端部に上記ステムの角軸部を囲繞した有底短筒部を一体に設けて該有底短筒部の底面中央部に設けた角孔に上記ステムの角軸部を挿通、係合させることによりレバーハンドルの回動力をステムに伝達するように構成していると共に、上記有底短筒部内にコイルスプリングを配設してこのコイルスプリングの両端を有底短筒部の内底面と上記ステムの角軸部の先端部に設けたワッシャとの間に介在させ、このワッシャを角軸部の先端部に形成している螺子部に螺合したナットによって受止させていることを特徴とする。
【０００９】
さらに、請求項３に係る発明は、上記レバーハンドルにおける有底短筒部の底部外周面をステムを挿通させた本体の上記筒部の開口端部内周面に遊嵌させていると共に、上記有底短筒部の外周面にレバーハンドルを延長する方向に向かって突端部を突設してあり、さらに、上記筒部の端面に上記レバーハンドルを弁の開閉位置に保持する凹部とこれらの凹部間に設けた山形状の凸状面とに対向させて上記突辺部を弁の開閉位置に保持する凹部とこれらの凹部間に設けた山形状の凸状面とを設けていることを特徴とする。
【発明の効果】
【００１０】
本発明の請求項１に係るボールバルブによれば、ボールと一体のステムを本体の中央部から上方に向かって挿通させている筒部の突出端面に、レバーハンドルを開弁、閉弁位置にそれぞれ保持する凹部を周方向に90度の角度間隔を存して形成していると共にこれらの凹部間の上端面を山形状の凸状面に形成し、さらに、レバーハンドルをステムの角軸部に対して上下動自在に且つ一体に回動可能に取付けると共に、このレバーハンドルをスプリング力によって常時筒部の突出端面である上端面に向かって付勢して該端面上に周方向に摺動自在に受止させているので、簡単な構造によってレバーハンドルを開弁位置、閉弁位置に確実に係止状態に保持しておくことができると共に、大きな振動力等によって不測に開弁状態から閉弁方向に、或いは、閉弁状態から開弁方向に回動しようとしても、これらの開弁位置、閉弁位置にレバーハンドルを保持する上記凹部間には山形状の凸状面を形成しているので、この凸状面の傾斜面によってレバーハンドルの不測の回動を強固に阻止することができ、その上、僅かに回動しても直ちに元の位置まで復帰させることができる。
【００１１】
さらに、スプリング力を外部操作によって簡単に調整することができてレバーハンドルと凹部との係止力の微調整が可能となると共に、レバーハンドルの回動操作が円滑に行えるように簡単に調整することができる。
【００１２】
請求項２に係る発明によれば、レバーハンドルの先端部にステムの上記角軸部を囲繞した有底短筒部を一体に設けて、該有底短筒部の底面中央部に設けた角孔に上記ステムの角軸部を挿通、係合させることによりレバーハンドルの回動力をステムに伝達するように構成しているので、レバーハンドルの回動力を有底短筒部を介してステムに確実に伝達することができると共に、レバーハンドルの回動操作も振れることなく軽快に行えるものである。
【００１３】
さらに、上記有底短筒部内にコイルスプリングを配設してこのコイルスプリングの両端を有底短筒部の内底面と上記ステムの角軸部の先端部に設けたワッシャとの間に介在させ、このワッシャの上面を角軸部の先端部に形成している螺子部に螺合したナットによって受止させているので、有底短筒部の内部を利用してコイルスプリングの配設が可能となって全体の構造をコンパクトに形成することができるばかりでなく、このコイルスプリングの弾発力を有底短筒部の内底面を介してレバーハンドルにダイレクトに作用させて該レバーハンドルを上記筒部の突出端面に常時、押し付けておくことができると共に、上記ナットの回動操作によってコイルスプリングの圧縮度を微妙に調節することができ、従って、筒部の突出端面に形成している上記凹部に対するレバーハンドルの係止力や、このレバーハンドルの回動操作力を簡単且つ正確に調整することができる。
【００１４】
また、請求項３に係る発明によれば、上記レバーハンドルにおける有底短筒部の底部外周面をステムを挿通させた本体の筒部の開口端部内周面に遊嵌させているので、この筒部の内周面をガイドとしてレバーハンドルをステムの軸心回りに円滑に回動させることができ、その上、上記有底短筒部の外周面にレバーハンドルを延長する方向に向かって突端部を突設する一方、上記筒部の端面に上記凹部とこれらの凹部間に設けた凸状面とは別に、この突端部の下面を係止させてレバーハンドルを弁の開閉位置に保持する凹部とこれらの凹部間に形成した凸状面とを設けているので、ステムを中心とした本体の筒部の端面上における対称位置でレバーハンドルとその突端部とをそれぞれ凸状面を介して弁の開閉位置に位置させることができる。
【００１５】
従って、レバーハンドルに拗れ変形が生じることなくステムを中心とする回動操作が軽快に行えると共に、レバーハンドルと突端部とに親指と人指し指とを押し付けた状態でレバーハンドルの有底短筒部を中心として時計方向又は反時計方向に回動操作することが可能となって、凹部間の凸状面が形成されているにもかかわらず、開閉操作が素早く且つ容易に行うことができる。
【発明を実施するための最良の形態】
【００１６】
本発明を具体的な実施の形態を図面について説明すると、１は中央部に弁室２を設けていると共に両側部にこの弁室２に連通する流体の流入口３と流出口４とを同軸上にして設けている本体で、上記弁室２の上壁面の中央部に、垂直上方に向かって弁室２から外部に連通した筒部1aを一体に突設してあり、弁室２内に配設したボール５の上端面中央部に下端を一体に固着しているステム６をこの筒部1a内に挿通させて上記流入口３と流出口４の軸心に対して直交する該ステム６の軸心上回りにボール５を弁室２内で回動可能に配設している。このボール５には、ステム６の軸心に対して直交する方向に流通孔７が貫通状態で設けられてあり、この流通孔７を通じて上記流入口３と流出口４を連通させることにより開弁し、その状態からボール５を90度、回動させることによって閉弁するように構成している。
【００１７】
上記ステム６はその下半部をＯリング13を介して筒部1aに回動自在に挿嵌、支持されていると共に筒部1aから上方に向かって突出している上半部を角軸部6aに形成してあり、この角軸部6aにレバーハンドル８の先端部を取付けて該レバーハンドル８を回動操作することにより、ステム６を介してボール５を回動させて上述したように弁の開閉を行うようにしている。
【００１８】
ステム６の角軸部6aに対するレバーハンドル８の取付け構造を具体的に説明すると、このレバーハンドル８の先端部に、内径がステム６の角軸部6aの外径よりも大径で外径が上記筒部1aの外径よりも小径の有底短筒部8aを一体に設けていると共に、この有底短筒部8aの外周面にレバーハンドル８を延長する方向に向かって下端面がレバーハンドル８の下端面と同一水平面上で面一状に形成されている突端部8bを突設してあり、上記ステム６の角軸部6aを囲繞するように上記有底短筒部8aを該角軸部6aに被せてこの有底短筒部8aの底面中央部に設けている角孔8cに角軸部6aを係合状態に挿通させることにより、レバーハンドル８の回動力を角孔8cと角軸部6aとの係合を介してステム６に伝達するように構成している。
【００１９】
また、レバーハンドル８の有底短筒部8aの底部をレバーハンドル８の下端面から下方に突出させて、上記筒部1aの上端開口部の内周面に回動自在に且つ上下動可能に遊嵌させていると共に、この有底短筒部8aの底部を囲んでいる該筒部1aの上端部における上端面（突出端面）に、レバーハンドル８を開弁位置と閉弁位置とにそれぞれ保持する凹部９、10を周方向に90度の角度間隔を存して形成してあり、さらに、これらの凹部９、10間における周方向に90度の角度範囲に亘る筒部1aの上端面部を、両端がこれらの凹部９、10の下端面に連続し且つ凹部９、10の下端から上方に向かって緩やかな凸円弧状に湾曲している山形状の凸状面11に形成している。なお、これらの凹部９、10における凸状面11に連続する側と反対側の端部はレバーハンドル８のそれ以上の回動を阻止するストッパ部12に形成されている。
【００２０】
そして、上記レバーハンドル８における有底短筒部8aとの連設部下端面を上記凹部９、10間の凸状面11上で周方向に摺動自在に往復移動させるようにしていると共にこれらの凹部９、10に該下端面を係止状態に支持させるようにしているが、筒部1aの上端面におけるこれらの凹部９、10から周方向にそれぞれ180 度の角度間隔を存した部分にも同じく上記突端部8bの下端面を係止状態に支持してレバーハンドル８を開閉位置に保持する同一形状、同一大きさの凹部9a、10a をそれぞれ設けていると共にこれらの凹部9a、10a 間における周方向に90度の角度範囲に亘る筒部1aの上端面部を、両端がこれらの凹部9a、10a の下端面に連続し、凹部9a、10a の下端から上方に向かって緩やかな凸円弧状に湾曲している山形状の凸状面11a に形成している。即ち、レバーハンドル８を開弁位置に保持する凹部９と凹部9a、及び、閉弁位置に保持する凹部10と凹部10a とは、ステム６を中心として筒部1aの上端面における対称位置に設けられている。なお、上記突端部8bの下端面を受け入れる上記凹部9a、10a における凸状面11a に連続する側と反対側の端部にも、レバーハンドル８のそれ以上の回動を阻止するストッパ部12a を形成している。
【００２１】
また、上記ステム６の角軸部6aの上端部を螺子部6bに形成して該螺子部6bをレバーハンドル８の有底短筒部8aの上端から上方に突出させていると共に、有底短筒部8a内にコイルスプリング14を配設して該コイルスプリング14を上記螺子部6bの下部に上下動自在に外嵌させたワッシャ15と有底短筒部8aの内底面間に圧入状態に介在させ、上記ワッシャ15の上端面を角軸部6aの上端螺子部6bに螺合したナット16の下面により受止させて該ナット16の螺進、螺退させることによりコイルスプリング14の弾発力を調整し、この弾発力によってレバーハンドル８を常時、下方に押圧してレバーハンドル８と突端部8bとの下端面を上記凹部９、9a、10、10a 及び凸状面11、11a を設けた筒部1aの上端面に押し付けている。
【００２２】
なお、本体１の弁室２内に配設している上記ボール５の両側外周面は、弁室２に開口している上記流入口３と流出口４の開口端の周囲にそれそれ装着した円環状シート17、17に摺動自在に密接している。また、流出口４は本体１とは別体にして該流出口４を接続させる本体１の開口端部の内径をボール５の径よりも大径にして、組立時における弁室２内へのボール５の挿入、配設が容易に行えるようにしている。そして、この開口端部に、中央部に上記ボール５の流通孔７に連通可能な通孔19を設け且つボール５との対向面に上記環状シート17を装着しているソケット体18を螺合させると共に、開口端部から外部に突出している該ソケット体18に短管状の上記流出口４を突き合わせて該流出口４を上記通孔19に連通させ、この状態にして、該流出口４のフランジ部に係止したユニオンナット20をソケット体18の外周面に螺合させることにより流出口４を本体１の開口端部に取付けている。
【００２３】
このように構成したボールバルブの開閉作動を説明すると、図２〜図４は開弁状態を示すものであり、この状態においては、レバーハンドル８における有底短筒部8aとの連設部分の下端面と有底短筒部8aからレバーハンドル８の延長方向に突出している突端部8bの下端面とがそれぞれ開弁位置に設けている一方の凹部９、9a上にコイルスプリング14の弾発力によって押し付けられていると共に、この位置からの周方向の移動は凸状面11、11a の上向き傾斜面とストッパ部12、12a とによってそれぞれ阻止され、流入口３をボール５の流通孔７を通じて流出口４に連通させた開弁状態を保持している。
【００２４】
この状態からレバーハンドル８を操作して該レバーハンドル８をステム６を中心として時計方向に回動させると、レバーハンドル８と突端部8bの下端面が凹部９、9aからそれぞれ凸状面11、11a の傾斜面に接して該傾斜面上に乗り上げながら周方向に移動すると共にレバーハンドル８の回動に従って該レバーハンドル８の有底短筒部8aに設けている角孔8cを介してこの角孔8cに係合しているステム６の角軸部6aが一体に回動し、ボール５を開状態から閉状態へと徐々に回動させる。
【００２５】
この際、レバーハンドル８はその下端面が凸状面11、11a の頂部に達するまでは、その有底短筒部8aを下方に押圧しているコイルスプリング14の弾発力に抗して上動し、凸状面11、11a の頂部を通過すると凸状面11、11a の下向き傾斜面上をコイルスプリング14の弾発力によって該下向き傾斜面に押し付けらた状態で摺動しながら下動し、レバーハンドル８を一方の凹部９、9aから時計方向に90度、回動させた時に該レバーハンドル８と突端部8bの下端面が他方の凹部10、10a に達してストッパ部12a によりそれ以上の回動を阻止され、図５、図６に示すように、ボール５を完全に閉弁位置まで回動させた状態にする。
【００２６】
また、この状態からボール５を、その流通孔７を流入口３と流出口４とに連通させた開弁状態にするには、レバーハンドル８を上記と反対方向、即ち、反時計方向に回動操作すればよい。即ち、レバーハンドル８における有底短筒部8aとの連設部分の下端面と有底短筒部8aからレバーハンドル８の延長方向に突出している突端部8bの下端面とがそれぞれ閉弁位置に設けている他方の凹部10、10a 上に位置している状態からレバーハンドル８を反時計方向に回動させると、このレバーハンドル８の有底短筒部8aの角孔8cに挿通、係止しているステム６の角軸部6aがその中心回りに一体に回動してこのステム６と一体のボール５が反時計方向に回動し、レバーハンドル８と突端部8bの下端面が凸状面11、11a を乗り越えて一方の凹部９、9a上に達し、ストッパ部12に当接してそれ以上の回動を阻止されて開弁状態となる。
【００２７】
この場合においても、レバーハンドル８はコイルスプリング14の弾発力によって常時下方に押圧されていて突端部8bの下端面と共に凹部９、9a、10、10a と凸状面11、11a を設けている筒部1aの上端面に押し付けられている。このコイルスプリング14の弾発力はレバーハンドル８の有底短筒部8aから上方に突出しているステム６の上端部に螺合したナット16をステム６に対して軸心方向に螺進、螺退させることによって簡単且つ精度よく微調整することができる。
【００２８】
また、レバーハンドル８の回動操作は、該レバーハンドル８の端部を親指と人指し指で摘んで行うことができるが、時計方向の回動時には親指をレバーハンドル８の突端部8bの一側面に押し付け、人指し指を有底短筒部8aを介して直径方向に対向するレバーハンドル８の他側面に押し付けた状態でステム６回りに時計方向に捻るように回動操作すれば、軽快に且つ円滑に開弁させることができる。同様に、反時計方向に回動させる際には、人指し指をレバーハンドル８の突端部8bの他側面に押し付け、親指を有底短筒部8aを介して直径方向に対向するレバーハンドル８の一側面に押し付けた状態でステム６回りに反時計方向に捻るように回動操作すればよい。
【００２９】
そして、このように構成したボールバルブを激しい振動が連続的に発生する自動車のエンジンオイルのドレンパイプ等の配管に介装して使用すれば、その振動にもかかわらず、確実に閉弁状態を保持することができる。
【図面の簡単な説明】
【００３０】
【図１】本発明のボールバルブのレバーハンドル部分を分解した斜視図。
【図２】開弁状態の斜視図。
【図３】その縦断正面図。
【図４】その平面図。
【図５】閉弁状態の斜視図。
【図６】その縦断正面図。
【符号の説明】
【００３１】
１  本体
２  弁室
３  流入口
４  流出口
５  ボール
６  ステム
6a  角軸部
７  流通孔
８  レバーハンドル
９、9a  凹部
11  凸状面
14  コイルスプリング
15  ワッシャ
16  ナット
【図１】
2007056920.tif 000003
【図２】
2007056920.tif 000004
【図３】
2007056920.tif 000005
【図４】
2007056920.tif 000006
【図５】
2007056920.tif 000007
【図６】
2007056920.tif 000008